(57)【要約】  カテーテルアセンブリの先端シールドは、カテーテルアセンブリの使用の間に血液が充填され得る弾性クリップ収容室を有する。収容室内の弾性クリップは、カテーテルハブを先端シールドから離すために、カテーテルアセンブリのニードルの引き抜きの際に解放される。弾性クリップは、先端シールドに引き戻された後のニードルの再汚染も防止する。血液が満たされた収容室は、弾性クリップが解放される時に、収容室から開口を通じて潜在的に漏れまたははねの可能性がある。カバーは、血液汚染のリスクを最小化するために、先端シールドから開口を塞ぐ。さらに、カバーは、弾性クリップの早過ぎる解放とニードルの再露出のリスクを最小化する。
2009538187.tif 000002
【特許請求の範囲】
【請求項１】
カテーテルハブと、
ニードルハブと、
前記ニードルハブに装着され、前記カテーテルハブを通して挿入されるニードルと、
弾性クリップ収容室を有し、前記ニードルハブに接続可能な先端シールドと、
前記弾性クリップ収容室内にあり、前記カテーテルハブに接続可能な弾性クリップと、
前記カテーテルハブからの前記弾性クリップの解放の際に、前記先端シールドからの流体の漏れを最小化するために、前記弾性クリップ収容室の開口を塞ぐカバーと
を備えるカテーテルアセンブリ。
【請求項２】
前記カバーの位置は、前記カテーテルハブからの前記弾性クリップの早過ぎる解放のリスクを最小化する請求項１のカテーテルアセンブリ。
【請求項３】
前記カバーの位置は、前記弾性クリップの前記カテーテルハブからの解放の後の前記ニードルの再露出のリスクを最小化する請求項１のカテーテルアセンブリ。
【請求項４】
前記カバーは、化学的アタッチメントおよび機械的アタッチメントの少なくとも１つにより前記先端シールドに取り付けられている請求項１のカテーテルアセンブリ。
【請求項５】
前記カバーが蓋である請求項１のカテーテルアセンブリ。
【請求項６】
前記カバーがフィルムである請求項１のカテーテルアセンブリ。
【請求項７】
前記カバーが高粘性流体である請求項１のカテーテルアセンブリ。
【請求項８】
前記カバーが、前記弾性クリップの延長部である請求項１のカテーテルアセンブリ。
【請求項９】
前記先端シールドと前記ニードルハブとを接続するテザーをさらに有し、
前記カバーは、前記テザーの延長部である、請求項１のカテーテルアセンブリ。
【請求項１０】
ニードル、カテーテルハブ並びに遠位端部及び基端部を有するカテーテルアセンブリに使用するための先端シールドであって、
前記先端シールドは、ハウジングと、
前記ハウジング内に設けられ、前記カテーテルハブとの係合のための、中間の、付勢された位置に保持された遠位端方向に延びるアームを有する弾性クリップと、
前記カテーテルハブから解放された、前記弾性クリップの前記アームが横方向の付勢されていない位置に移動する際に、前記先端シールドからの流体の漏れを最小化するために、前記ハウジングの開口を塞ぐ手段と
を備える先端シールド。
【請求項１１】
前記ニードルは、前記アームを、中間の、付勢された位置に保持し、
弾性クリップを通過した前記ニードルの基端方向の動きは、前記アームを前記カテーテルハブから解放させる、
請求項１０の先端シールド。
【請求項１２】
前記塞ぐ手段は、前記ニードルが前記弾性クリップを通過するまでは、前記弾性クリップのアームが前記カテーテルハブから離れるのを防止する、
請求項１１の先端シールド。
【請求項１３】
前記塞ぐ手段は、蓋である請求項１０の先端シールド。
【請求項１４】
前記蓋は、プラスチック、金属、フィルム、高粘性流体、またはこれらの組み合わせのの１つから製造される請求項１３の先端シールド。
【請求項１５】
ニードル、カテーテルハブおよび遠位端部及び基端部を有するカテーテルアセンブリにおいて使用するのための先端シールドであって、
ハウジングと、
前記ハウジング内に存在し、前記ハウジングを通じる開口を有する収容室と、
前記収容室内に存在し、前記カテーテルハブとの係合のための遠位端方向に延在するアームを有する弾性クリップと、
前記収容室の開口を横切って延在するカバーとを備え、
前記カバーは、前記開口の少なくとも一つのエッジに沿って又はその近傍において前記ハウジングに取り付けられ、前記開口からの血液の漏れを最小化し、かつ、前記カテーテルハブからの前記弾性クリップの早過ぎる解放のリスクを最小化する、
先端シールド。
【請求項１６】
前記カバーは、化学的アタッチメント、機械的アタッチメント、および、これらの組み合わせのうちの１つにより前記ハウジングに取り付けられている請求項１５の先端シールド。
【請求項１７】
前記カバーの位置は、前記収容室からの弾性クリップの動きを最小化する請求項１５の先端シールド。
【請求項１８】
前記先端シールドは、支柱をさらに備え、前記カバーは、前記支柱と結合するノブをさらに備える請求項１５の先端シールド。
【請求項１９】
前記カバーは、前記ハウジングの延長部である請求項１５の先端シールド。
【請求項２０】
前記カバーは、前記弾性クリップの延長部である請求項１５の先端シールド。
【発明の詳細な説明】
【技術分野】
【０００１】
本出願は、同日に提出され、また、本件特許出願人に譲渡された、人間工学的なニードルグリップを備えるＩＶカテーテルアセンブリという発明の名称の出願と関連する。
【０００２】
本発明は、カテーテルアセンブリに関する。特に、本発明はカテーテルアセンブリのための先端シールドに関する。
【背景技術】
【０００３】
血管内カテーテルは、流体を患者へ注入し、流体を患者から抜き取り、あるいは、患者の血管系の様々なパラメータのモニタリングのために使用される。一般に、カテーテルを患者の血管に導入するために、ニードルが使用される。カテーテルは、血管に挿入中のカテーテルのピールバックを防ぐために、ニードルの外側表面にしっかりと係合する少なくともその遠位端部分が鋭い遠位端の先端を有するニードルに設けられる。
【発明の概要】
【発明が解決しようとする課題】
【０００４】
医師は、カテーテルとニードルを患者の皮膚を通じて患者の血管に挿入する。フラッシュバックチャンバ内に血液のフラッシュバックがいったん確認されると、カテーテルがニードルに差し込まれ、血管に完全に挿入される。その時、ニードルは、カテーテルを適所に配置してカテーテルから引き抜かれる。ニードルがカテーテルからいったん引き抜かれると、ニードルは、「血液汚染された鋭利物」であり、適切に処理されなければならない。
【０００５】
近年、血液汚染された鋭利物による針刺し事故に大きい懸念が存在した。血液汚染された鋭利物を適切に処理する必要性は認識されているけれども、例えば、緊急の状況の際、すなわち、不注意または軽視の結果として、汚染されたニードルによる針刺し事故がいまだ発生している。この問題を受けて、様々なニードルシールドが開発されている。ニードルシールドは、針刺し事故から医師を保護することに加えて、カテーテル挿入プロセスの最中およびプロセスの後の血液への汚染も最小化すべきである。
【課題を解決するための手段】
【０００６】
本発明は、カテーテルアセンブリの先端シールドからの血液の漏れまたは跳ねのリスクを減少させる。先端シールドは、弾性クリップ収容室を含み、これは、使用の最中に血液が充填される。血液は収容室の下側の開口から漏れ又は跳ねる可能性がある。本発明のカバーは、収容室からの漏れおよび跳ねを防止するために開口を塞ぐ。
【図面の簡単な説明】
【０００７】
【図１】代表的な実施形態の挿入前のカテーテルアセンブリの斜視図である。
【図２】代表的な実施形態の挿入後のカテーテルアセンブリの斜視図である。
【図３】代表的な実施形態の先端シールドの斜視図である。
【図４】代表的な実施形態の弾性クリップの斜視図である。
【図５】挿代表的な実施形態の入前の弾性クリップ収容室の部分的な断面図である。
【図６】代表的な実施形態の挿入後の弾性クリップ収容室の部分的な断面図である。
【図７】第１の代表的な実施形態の先端シールド閉鎖体の斜視図である。
【図８Ａ】第１の代表的な実施形態の取り付け先端シールド閉鎖体の斜視図である。
【図８Ｂ】第２の代表的な実施形態の先端シールド閉鎖体を取り付けている斜視図である。
【図９Ａ】第３の代表的な実施形態の先端シールド閉鎖体の斜視図である。
【図９Ｂ】第３の代表的な実施形態の先端シールド閉鎖体の斜視図である。
【図１０】第４の代表的な実施形態の先端シールド閉鎖体の斜視図である。
【図１１】第５の代表的な実施形態の先端シールド閉鎖体の斜視図である。
【図１２】第６の代表的な実施形態の先端シールド閉鎖体の斜視図である。
【図１３】第７の代表的な実施形態の先端シールド閉鎖体の斜視図である。
【図１４】代表的な実施形態の弾性クリップ収容室と先端シールド閉鎖体の部分的な断面図である。
【発明を実施するための形態】
【０００８】
図１は、血管に挿入される前のカテーテルアセンブリ１０の代表的な実施形態である。カテーテルアセンブリ１０は、ニードル先端１２ａを備えるニードル１２、カテーテルハブ１４及びグリップ部分１８を備えるニードルハブ１６を有する。カテーテルアセンブリ１０の遠位端部は、概ねニードル先端１２aであり、基端部は概ねニードルハブ１６である。横方向領域は、カテーテルアセンブリ１０の両側に位置している、あるいは、カテーテルアセンブリ１０の両側に向けて延在している。中間領域は、カテーテルアセンブリ１０の中心線上又は中心線付近に存在し、中心線は長手方向に伸びている。
【０００９】
図２は、血管に配置された後のカテーテルアセンブリ１０を示す。図１において示された要素に加えて、図２は、ハウジング２０aとテザー２２を備える先端シールド２０を含む。カテーテルハブ１４は、カテーテル２４、ウイング２６、注入ポート２８、及び、ルアーロック部材３０aを備えるノッチ３０を含む。ニードルハブ１６は、フラッシュバック室３２及びフロー制御プラグ３４を含む。
【００１０】
使用時において、図１に示された組み立てられたカテーテルアセンブリ１０のニードル１２は、患者の皮膚を貫通する角度で血管に挿入される。カテーテル２４と共にニードル１２の血管内への配置は、フラッシュバック室３２に血液のフラッシュバックが存在することを確認することにより確認される。いったん確認されると、ニードル１２の遠位端が患者の皮膚を押し下げることにより圧力が血管に適用される。この圧力は、ニードル１２及びカテーテル２４を通じる血液の流れを閉塞させる、あるいは、少なくとも最小化する。その時、ニードル１２は、カテーテル２４を患者の血管内の適所に残して、カテーテルハブ１４からニードルハブ１６を基端方向に引くことにより、カテーテル２４から引き抜かれる。
【００１１】
ニードル１２がカテーテル２４から引き抜かれると、ニードルハブ１６は先端シールド２０から基端方向に離れる。これが起こると、テザー２２は、ニードルシールド２０とグリップ部分１８の間で延びるために広がる。ニードル先端１２aが先端シールド２０に引き込まれる時には、先端シールド２０は、カテーテルハブ１４から離れる。この時に、先端シールド２０は、針刺し事故を防止するために、すぐにニードル先端１２aをカバーする。テザー２２の長さは、完全に伸ばされたときには、先端シールド２０がニードル先端１２aを取り囲むようになっている。テザー２２は、先端シールド２０がニードル先端１２aから落ちるのを防ぐ。そして、医師はニードル１２を処分することができる。
【００１２】
図３は、先端シールド２０の代表的な実施形態の詳細図を示す。開口３６は先端シールド２０の下側にあり、弾性クリップ収容室３８に向けて開口している。弾性クリップ４０は収容室３８内に置かれる。テザー装着支柱４２は先端シールド２０の基端部に配置され、テザー２２を先端シールド２０に取り付ける。コネクタ４４は、ニードルシールド２０の遠位端部にあり、カテーテルハブ１４と先端シールド２０とを接続する。図３に示すように、ニードル先端１２aは、先端シールド２０にシールドされ、先端シールド２０は、カテーテルハブ１４から直ちに分離される。ニードル１２が一度引き抜かれると、先端シールド２０をカテーテルハブ１４から離す機構は、弾性クリップ４０である。
【００１３】
図４は、弾性クリップ４０の代表的な実施形態を示す。弾性クリップ４０は、ばねクリップ４６、ブロック４８、タブ５０、アーム５２及びフィンガー５４を含む。弾性クリップ４０は、収容室３８に配置され、タブ５０を介して収容室３８内の側壁に結合する。さらに、弾性クリップ４０は、フィンガー５４を介してカテーテルハブ１４に結合するために、遠位端方向にアーム５２がばねクリップ４６から延在するように配置される。
【００１４】
図５及び図６は、使用時の弾性クリップ４０を図解している。なお、図５及び図６において示される図は、他のこれに続く図面も同様に、これより前の図とは逆向きであり、遠位端が右側であり、基端が左側である。
【００１５】
図５及び図６は、本発明で使用可能な先端シールド２０の代替例の断面図である。テザー２２の代わりに、先端シールド２０のこの代替の実施形態は、以下で説明されるように、ニードル先端１２aが先端シールド２０内で基端方向に動くことができる距離を制限するために、異なる機構を利用する。
【００１６】
図５は、ニードル１２を引き抜く前の先端シールド２０を示す。先端シールド２０に加えて、図５は、ノッチ３０を備えるカテーテルハブ１４の一部分およびニードル１２の代替の実施形態も示す。図５は、先端シールド２０の代替の実施形態内の保持プレート５６および座金５８も示す。
【００１７】
いずれの実施形態においても、使用する前にカテーテルアセンブリ１０が組み立てられる時には、ニードル１２は先端シールド２０内のばねクリップ４６を圧縮する。ばねクリップ４６が圧縮されたとき、アーム５２は、中間の、付勢位置に保持され、次いで、カテーテルハブ１４のノッチ３０に係合させるようにフィンガー５４を位置付け、先端シールド２０をカテーテルハブ１４と接続する。ノッチ３０は、スロットあるいはインデントの形態を採ることも可能で、または、フィンガー５４は代わりに、ルアーロック部材３０aを係合させることも可能である。示された例では、ルアーロック部材３０aは、ねじである。図５に示された構成によって、先端シールド２０とカテーテルハブ１４は確実に接続される。
【００１８】
図６に示すように、カテーテル２４の患者の血管への挿入の後のニードル１２の引き抜きの際に、ニードル先端１２aは先端シールド２０内に基端方向に動かされる。ニードル１２の代替の実施形態の拡大された直径部分６０は、ニードル１２の残部よりも僅かに大きい直径を有する。座金５８は、拡大された直径部分６０を除くニードル１２の大部分より僅かに大きな内径を有する。ニードル１２が基端方向に移動すると、ニードル１２の拡大された直径部分６０は、最終的には座金５８に接触し、先端シールド２０に対するニードル１２のさらなる基端方向の移動を阻止する。ニードル１２の拡大された直径部分６０とニードル先端１２aとの間の距離は、ニードル先端１２aがここで弾性クリップ４０の基端側に存在するようになっている。ニードル１２はもはやばねクリップ４６を圧縮していないので、アーム５２は概ね横方向の付勢されていない位置に移動する。アーム５２によるこの動きは、次に、フィンガー５４をそれがノッチ３０から離脱すように移動させる。ノッチ３０からのフィンガー５４の解放は、カテーテルハブ１４を先端シールド２０から効果的に切り離し、カテーテルハブ１４を患者に留まらせることを可能にする。ニードル先端１２aは、先端シールド２０内で保護されて、特に、ばねクリップ４６から延在しているタブであるブロック４８は、ばねクリップ４６が解放されニードル１２によりもはや圧縮されていない状態になると、ニードル１２が先端シールド２０を通って遠位端方向に戻ることを防止する。
【００１９】
上記したように、先端シールド２０は、針刺し事故から医師を効果的に保護する。先端シールド２０の別の機能は、患者の血液による汚染の極小化である。ニードル１２が患者の血管への挿入の後に引き抜かれる時、血液はニードル先端１２aまたはその近傍に残留し、先端シールド２０の収容室３８に引き入れられる。ニードル先端１２aが弾性クリップ４０（図６）を通過した際に弾性クリップ４０が解放されると、血液の跳ねを引き起こす可能性がある。血液は、開口３６を介して先端シールド２０から漏出し、あるいは、跳ねて汚染を引き起こす可能性がある。閉塞手段によって開口３６を塞ぐことにより、汚染のリスクは、先端シールド２０内に血液を封じ込めることによって最小化される。開口３６を塞ぐための種々の手段の例は、以下で説明される。
【００２０】
図７は、開口３６を塞ぐカバーの代表的な実施形態である。蓋６２は、開口３６をカバーするための寸法を有し、多くの様々な素材のいずれからでも製造可能である。いくつかの素材としては、例えば、比較的堅いプラスチックまたは金属である。これらの素材は、接着剤、熱、超音波または摩擦熱溶接、溶着、スナップなどの化学的および／または機械的な手段により取り付けられる。
【００２１】
蓋６２などのカバーを取り付けた２つの代表的な実施形態が図８Ａ及び図８Ｂに示されている。図８Ａは、蓋６２及び矢印６６を示す。蓋６２は、矢印６６により示されるように、開口３６に配置される簡単なカバーである。先端シールド２０への取り付けは、上記した化学的および／または機械的な方法のいずれかによる。
【００２２】
図８Ｂは、先端シールド２０の開口３６に沿った隆起６４と蓋６２aとリップ６８と矢印７０とを含む。蓋６２aは、矢印７０により示されるように、開口３６にスライド可能に設けられ、図示の先端シールド２０の基端部からまたは先端シールド２０の遠位端部から設けてもよい。蓋６２aのリップ６８は、先端シールド２０の隆起６４と係合し（開口３６の反対側のエッジに沿った第２の隆起６４は図示されていない）、開口３６上をスライドする。一般に、蓋６２aも、前に説明した化学的および／または機械的な方法のいずれかによりニードルシールド２０に取り付けられる。
【００２３】
図７において示された蓋６２はまた、接着用テープやフィルムなどの比較的柔軟な素材から製造可能である。接着用テープは、開口３６のエッジの少なくとも１つに単に付着し、また、より強い接着のために先端シールド２０のハウジング２０aに付着するように、１つ以上のエッジを越えて延在することも可能である。代替的には、蓋６２の接着テープは、スリーブと同様に、先端シールド２０を囲むように端から端まで延在し、そして、自身が接着されていてもよい。フィルムは、接着剤または前に説明した手段のいずれかによって取り付けることができる。また、フィルムは、開口３６の近くのエッジの少なくとも１つに取り付けられ、一以上のエッジを越えて延在して先端シールド２０のハウジング２０aおよび／または自身に接着されていてもよい。
【００２４】
図９Ａおよび図９Ｂは、開口３６をカバーするための別の代表的な実施形態を図解する。図９Ａは、先端シールド２０をルーズに取り囲むスリーブ７２を示す。スリーブ開口７４aおよび７４bは、先端シールド２０の基端部および遠位端部にそれぞれ位置付けられる。一般的には吹きつけられた熱気により、熱がスリーブ７２に加わると、スリーブ７２が縮み、先端シールド２０の形に合致する。この実施形態の変形例では、スリーブ７２は、収縮包装素材ではないプラスチックのスリーブであってもよい。スリーブ７２は、収容室３８からの漏れ又は跳ねを防止するために、先端シールド２０のまわりにしっかりとフィットする寸法を有する。
【００２５】
図９Ｂは、先端シールド２０のまわりで収縮した後のスリーブ７２を示す。スリーブ７２は、先端シールド２０の形に対応し、先端シールド２０の外表面を覆う層として示される。開口３６は、先端シールド２０からの血液の漏れまたは跳ねを最小化するために、ここではシールされており、一方で、スリーブ開口７４aおよび７４bは、基端部および遠位端部へのアクセスを可能にする。代替的には、カバーはカテーテルアセンブリ１０の部品の１つの延長部として構成されることも可能である。図１０は、テザー２２の延長部の代表的な実施形態である。テザー２２は、蓋７６を形成するように延ばされており、穴４２a及び７８aを有する。先端シールド２０は、追加のテザー装着支柱７８をコネクタ４４上に有する。蓋７６は、支柱４２及び７８を穴４２a及び７８aにそれぞれ挿入することにより先端シールド２０に取り付けられる。蓋７６は、必要な場合には、支柱７８及び穴７８aを付加することなく、前に説明した手段のいずれかによって先端シールド２０に固定することも可能である。代替的には、前に説明した接着、溶接、または、溶着手段を、開口３６をさらにシールまたは閉塞するために、支柱７８及び穴７８aを介した取り付けに加えて用いることも可能である。
【００２６】
図１１は、弾性クリップ４０の延長部を示している代表的な実施形態である。この実施形態において、蓋８０は、弾性クリップ４０のタブ５０の延長部として形成される。蓋８０は、一般的には、弾性クリップ４０を組み立てるために使用された同じ金属の素材から製造される。また、蓋８０は、先端シールド２０の開口３６を塞ぐための寸法を有し、上記した化学的および／または機械的な方法のいずれかにより取り付けられる。
【００２７】
図１２は、ハウジング２０aの延長部の代表的な実施形態である。蓋８２はハウジング２０aの一体的部分として形成される。一般的には、蓋８２は、蓋８２がハウジング２０aに触れるポイントで曲げられるか、または、折りたたまれるが、蓋８２とハウジング２０aとを接続するために、ヒンジを使用することも可能である。蓋８２は、先端シールド２０の遠位端部でハウジング２０aに取り付けられて示されているが、代わりに、先端シールド２０の基端部またはいずれかの側方部に取り付けることも可能である。弾性クリップ４０を含めて収容室３８内で部品が組み立てられると、蓋８２は、上記した化学的および／または機械的な手段のうちの１つを使って取り付けられる。
【００２８】
図１３は、ハウジング２０aの延長部の別の代表的な実施形態である。この実施形態において、先端シールド２０は、テザー装着支柱４２aと蓋装着ノブ８６を備える蓋８４とを有する。支柱４２ａは、蓋８４の装着のための手段だけでなく、テザー２２のアタッチメントとして機能する。支柱４２aは円筒形の管であり、その内径は、支柱４２a内にノブ８６が摩擦力により固定されるようにノブ８６と適合（結合）する寸法を有する。支柱４２a及びノブ８６は、図示された円形を除くいずれの形状を用いても適合（結合）させることができる。支柱４２aとノブ８６との結合は、次いで、開口３６を覆って蓋 ８４を固定し、一方で、同時に、テザー２２が支柱４２aから滑り落ちることを防止する。アタッチメントは、上記した化学および／または機械的な手段のいずれかを用いてさらに固定することができる。例えば、支柱４２aとノブ８６とを、スナップまたは接着剤またはその両方により結合することが可能である。代わりに、接着剤または溶接を、開口３６と蓋８４のエッジとの間の接合部分に沿うシールとして使用することも可能である。
【００２９】
開口３６を塞ぐためのカバーの別の代表的な実施形態において、収容室３８は、グリースあるいは収容室３８から漏れまたは跳ねを最小化する同様のタイプの製品などの高粘性流体が充填される。ワセリンは、そのような製品の１つの例である。一般的には、収容室３８内で部品が組み立てられた後に、収容室３８は製品によって満たされる。この実施形態を、前に説明した実施形態のいずれかと組み合わせることも可能である。
【００３０】
収容室３８からの漏れまたははねの最小化に加えて、開口３６を覆うカバーは、先端シールド２０からカテーテルハブ１４の早過ぎる離脱のリスクを最小化する追加の利点を提供する。図１４はこの概念を図解する。図１４は、ニードル１２を引き抜く前の、中間の、付勢された位置にある弾性クリップ４０を示す。蓋８８は、前に説明した、開口３６を塞ぐカバーのいずれかを示している。フィンガー５４を備えるアーム５２は、ばねクリップ４６から延在し、フィンガー５４は前に説明したようにノッチ３０に係合する。さらに、フィンガー５４aを備えるアーム５２aは仮想線により示される。
【００３１】
使用の際、一定の状況の下で、カテーテルアセンブリ１０の取扱いを誤ると、弾性スプリング４０を解放するためにニードル先端１２aが先端シールド２０内に引き込まれる前に、ノッチ３０からのフィンガー５４の早過ぎる解放が発生する可能性がある。矢印９０は、早過ぎる解放の際のフィンガー５４の動きを表している。カバー８８は、アーム５２a及びフィンガー５４aにより表されている位置にアーム５２及びフィンガー５４を停止させる。この位置では、フィンガー５４aは、ノッチ３０とまだ係合しており、それにより、カテーテルハブ１４の解放を防ぐ。
【００３２】
同じ線に沿って、カバー８８は、弾性クリップ４０の適切な解放の後にニードル先端１２aを再汚染する可能性を最小化することが可能である。（図４で）すでに説明したように、弾性クリップ４０は、弾性クリップ４０が適切に解放されるとニードル１２が先端シールド２０を通じて押し戻されることを防止するタブであるブロック４８を含む。弾性クリップ４０が、先端シールド２０からニードル１２の基端方向の動きをブロックするためにブロック４８がニードル１２と適切には整合していない形で解放する場合には、ニードル先端１２aは、先端シールド２０を通じて基端方向に押し戻され可能性がある。カバー８８は、弾性クリップ４０を閉じ込め、収容室３８から下方への動きまたは滑りを制限することにより、この可能性を最小化する。従って、ニードル先端１２aおよびブロック４８は、不整合が発生しにくくなる。
【００３３】
さらに、カバー８８は、使用後の弾性クリップ４０への不正操作によるカテーテルアセンブリ１０の再活性化の可能性を最小化する。図示された実施形態のほとんどにおいて、カバー８８は、開口３６を恒常的に覆うように取り付けられ、収容室３８にアクセスするのを困難にする。
【００３４】
収容室３８の開口３６を塞ぐための本発明に応じたカバーは、汚染血液に曝されるリスク、カテーテルハブ１４からの先端シールド２０の早過ぎる解放のリスク、および弾性クリップ４０の適切な解放に続いて起こるニードル先端１２aの再露出のリスクを最小化する。これらの利益は、患者だけでなく、ＩＶカテーテルを挿入する際の医師に安全性を提供する。
【００３５】
本発明は好適な実施例に関連して説明されたけれども、当業者は、本発明の精神と範囲を逸脱しないで形態及び詳細の変更が可能であることを容易に理解する。
【図１】
2009538187.tif 000003
【図２】
2009538187.tif 000004
【図３】
2009538187.tif 000005
【図４】
2009538187.tif 000006
【図５】
2009538187.tif 000007
【図６】
2009538187.tif 000008
【図７】
2009538187.tif 000009
【図８Ａ】
2009538187.tif 000010
【図８Ｂ】
2009538187.tif 000011
【図９Ａ】
2009538187.tif 000012
【図９Ｂ】
2009538187.tif 000013
【図１０】
2009538187.tif 000014
【図１１】
2009538187.tif 000015
【図１２】
2009538187.tif 000016
【図１３】
2009538187.tif 000017
【図１４】
2009538187.tif 000018
【国際調査報告】
2009538187.tif 000019
2009538187.tif 000020
2009538187.tif 000021